(57)【要約】装飾的舗装タイルまたはパネルは予め定められた厚さのタイルまたはパネルを形成するように下地層またはベースに埋め込まれた同一または異なる厚さの複数の不規則に形成された石材素子を含み、石材素子の通常露出される表面が下地層またはベースの取り付け面に対して実質上平行な平面内に横たわっている。流動可能な変位材料は上塗りチャンネルを形成するように隣接する石材素子および／またはタイルまたはパネルモールドの境界壁との間の隙間に使用することができる。隣接するタイルまたはパネルの隣接する石材素子間の不規則な空間は上塗りされるとき視覚的に継ぎ目の無いタイル張りされたまたはパネル張りされた表面の形成を可能にする。
2006502325.tif 000002
【特許請求の範囲】
【請求項１】
継ぎ目のない舗装構造用のタイルにおいて、下地層またはベースの上に少なくとも部分的に延びている複数の不規則に形成された石材素子を含み、隣接するタイルと整列されて当接する関係にあるとき、隣接する石材素子間に延びる不規則に形成されたキャビティを隣接するタイルとともに形成し、そのさい使用において、隣接する石材素子間のグラウトで固められる接合部が視覚的に継ぎ目の無い接合部を形成するように下地層またはベース間の接合部の各側に不規則に延びることを特徴とするタイル。
【請求項２】
石材素子のそれぞれの縁部が下地層またはベースの縁部まで延び得ることを特徴とする請求項１に記載のタイル。
【請求項３】
下地層またはベースのそれぞれの縁部がそれに結合される隣接する石材素子の縁部を越えて延び得ることを特徴とする請求項１に記載のタイル。
【請求項４】
下地層またはベースは同一または異なる形状の隣接するタイルと重ね合わせ得る矩形、規則的な多角形または不規則な形状を含んでいるあらゆる適宜な形状からなることができることを特徴とする請求項１に記載のタイル。
【請求項５】
反対のまたは隣接する縁部から延びる１つまたはそれ以上のスピゴット状の突起およびそれぞれの反対のまたは隣接する縁部の対応するソケット状凹所を有する矩形の下地層またはベースを含んでいることを特徴とする請求項１に記載のタイル。
【請求項６】
下地層またはベースが石材素子を固定させる堅固な材料を含むことを特徴とする請求項１に記載のタイル。
【請求項７】
下地層またはベースが石材素子を固定させる柔軟な材料を含むことを特徴とする請求項１に記載のタイル。
【請求項８】
下地層またはベースが重合結合剤を有するか有さないセメント質の混合物を含むことを特徴とする請求項１に記載のタイル。
【請求項９】
下地層またはベースが重合混合物を含むことを特徴とする請求項１に記載のタイル。
【請求項１０】
下地層またはベースが補強材料を含んでいることを特徴とする請求項１に記載のタイル。
【請求項１１】
下地層またはベースが孔の明いたシート状材料を含んでいることを特徴とする請求項１に記載のタイル。
【請求項１２】
下地層またはベースがプラスチックメッシュを含んでいることを特徴とする請求項１に記載のタイル。
【請求項１３】
補強材料が金属またはプラスチックメッシュで覆っている拡大された端部を有するかまたは有さない細かく切り刻んだ繊維から選択されることを特徴とする請求項１０に記載のタイル。
【請求項１４】
タイルを含んでいる石材素子の通常露出される表面が実質上共通の平面に横たわるようにタイルが形成されることを特徴とする請求項１に記載のタイル。
【請求項１５】
タイルが実質上一定の厚さで形成され、それにより隣接するタイルの石材素子の通常露出される表面が実質上共通の平面に横たわることを特徴とする請求項１に記載のタイル。
【請求項１６】
継ぎ目のない舗装構造用のタイルの製造方法において、実質上平らな支持面上に、複数の不規則に形成された石材素子を支持し、石材素子の通常露出される表面が支持面と接触しており、石材素子のそれぞれの反対表面に、支持面に対して実質上平行な取り付け面を有する下地層またはベースを固定することを特徴とするタイルの製造方法。
【請求項１７】
取り付け面が予め定められた厚さのタイルを形成するように支持面から予め定められた距離に位置決めされることを特徴とする請求項１６に記載のタイルの製造方法。
【請求項１８】
石材素子が予め定められた形状および／または厚さの基板に固定されることを特徴とする請求項１６に記載のタイルの製造方法。
【請求項１９】
石材素子が接着剤によって基板に固定されることを特徴とする請求項１８に記載のタイルの製造方法。
【請求項２０】
下地層またはベースが石材素子に接着で固定し得る流動可能で鋳造可能な材料によって形成されることを特徴とする請求項１６に記載のタイルの製造方法。
【請求項２１】
下地層またはベースが直立の境界壁を有するモールド内に形成されることを特徴とする請求項２０に記載のタイルの製造方法。
【請求項２２】
タイルが予め定められた境界形状内の実質上平らな支持面上に支持される流動可能で鋳造可能な材料の表面上に複数の不規則に形成された石材素子を配置しかつ石材素子を支持面に対して実質上平行な平面内に横たわっている実質上平らな圧縮部材によって鋳造可能な材料に押し固めることによって形成されることを特徴とする請求項１６に記載のタイルの製造方法。
【請求項２３】
不規則な石材素子が予め定められた境界形状内で実質上平らな支持面上にありかつその後流動可能で鋳造可能な材料からなる層が支持面に対して実質上平行な取り付け面を有する予め定められた厚さの下地層またはベースを形成するように石材素子上に加えられることを特徴とする請求項１６に記載のタイルの製造方法。
【請求項２４】
石材素子が直立の境界壁内の支持面に配置されることを特徴とする請求項２３に記載のタイルの製造方法。
【請求項２５】
流動可能な変位材料が隣接する石材素子間に上塗りチャンネルを形成するようにその上に下地層またはベースの形成の前に隣接する石材素子間の隙間に導入されることを特徴とする請求項２３に記載のタイルの製造方法。
【請求項２６】
継ぎ目なしの舗装構造用のタイルを取り付けるためのタイル取り付け方法において、タイルを整列された当接において平らな表面に接着し；そして隣接する石材素子間のキャビティに上塗り混合物を導入しそれにより隣接するタイル間の接合部の領域の上塗り混合物が実質上視覚的に継ぎ目の無い接合部を形成するように接合部の各側にわたって不規則に延びることを特徴とするタイル取り付け方法。
【請求項２７】
タイルが当接しているベース縁部により表面上に横たえられることを特徴とする請求項２６に記載のタイル取り付け方法。
【請求項２８】
間隔が置かれかつ異なるサイズの石材素子が実質上視覚的に継ぎ目の無い接合部を形成するようにベース縁部が石材素子間の上塗りの表面に挿入されることを特徴とする請求項２６に記載のタイル取り付け方法。
【発明の詳細な説明】
【技術分野】
【０００１】
本発明は複合タイルの製造方法に関するものである。
【背景技術】
【０００２】
タイル、スレート等（ここでは「石材素子」として記載する）を適切な位置に並べる従来の方法は石材素子が適用される表面上にモルタルを引き伸ばしかつ次いで各石材素子を手でモルタルに押し付けることを伴う。この舗装システムは石材素子が不規則な形状を有する「クレイジー舗装（不揃いの石による舗装）」として知られている。この敷設方法の欠点は、とくに石材素子が小さいサイズからなるとき、均等の仕上げが得られるように石材素子を適切な位置に並べるのにかなりの熟練が要求される。熟練した石工によって取り付けられるときクレイジー舗装は平方メートルあたり２００ドルを超える費用が掛かる。さらに、石材素子自体が異なる形状およびサイズからなりかつ複雑なパターンで配置させねばならない場合に、多くの熟練が要求され、かつより大きなコストが掛かる。
【０００３】
従来の敷設方法の他の欠点は全体の作業にわたってモルタルの色づけの差異を得ることが通常不可能であり、そしてモルタル色づけの変化が審美的な理由のため所望されでることにある。
【０００４】
さらに他の欠点は垂直面上に装飾的な石仕上げを形成するのにこれらの従来の方法を有効に利用することはできないということにある。
【０００５】
自然な外観の「クレイジー舗装」の石舗装表面を取り付けるのに熟練した石工への依存を減少するような努力において、浅い正方形のトレイにセメント質の上塗りを注入しかつ次いで天然の岩または石の断片を上塗りの上面に押し込みかつ次いでタイル素子をセットさせることによって１平方メートルある大きなタイル素子を形成することが提案されている。モールドから除去されるときタイル素子はその場合に各々５００ｍｍ×５００ｍｍある４枚のタイルにダイアモンド鋸によって切断される。タイルは、取り付ける者が岩または石の断片の最初のレイアウトを維持するようにタイル縁部を正しく当接して整列させることができるように後面上で印しが付けられた。
【０００６】
その意図された目的に全般的に適するけれども、「クレイジー舗装」タイルを製造するこの方法は２つの大きな欠点をこうむった。第１に、タイル素子内でかつまた他のタイル素子の隣接するタイル間で厚さの変化により均一な舗装面を維持するのが難しかった。
【０００７】
第２に、より重要だけれども、これらのタイルの大きな問題は、上塗りされるときも同様に、隣接するタイル間の直線の交点が明瞭に認識でき、それは石工によって取り付けられたクレイジー舗装の自然な外観を阻止することにある。
【０００８】
他の提案は、長さ約７５０ｍｍで幅約５００ｍｍであるタイル素子を含みそのさい複数の任意に形成されて切断された石材素子がプラスチックメッシュまたはマットに接着剤によって結合された。
【０００９】
タイル素子は、重なり合うタイル形状を形成するように平行な側壁を備えた部材六角形の大きな本体部分および長手方向軸線に沿って反対に延びているより小さいサイズの部分六角形の小さな本体端を有する形状を含んだ。それらの意図された目的を全般的に満足する一方、任意に形成された石材素子は特定の厚さに切断された薄いスラブから形成されかつ各タイルに関して３ｍｍの差異内に断片を較正しなければならなかった。これは切断および較正工程において極めて労力の増大する方法だけでなく、適切な位置に並べられるとき隣接するタイル素子間の厚さの変化がその上を歩いている歩行者をつまずかせる必然的な危険により実質上変化する。そのうえ、これらのタイル素子は隣接するタイル間の均一な幅の継ぎ目が容易に認識できるように本当に規則的に形成された周辺縁部を有した。
【００１０】
本発明の目的は、従来のクレイジー舗装スタイルのタイルと関連付けられる欠点の少なくとも幾つかを克服または改善することにある。
【発明の開示】
【発明の概要】
【００１１】
本発明の第１の態様によれば、上塗りされない複合タイルを製造する方法が提供され、前記方法は、
（ａ）その周辺のまわりに延びる境界壁を有するモールドキャビティ内の支持面上に１つまたはそれ以上の石材素子を配置し；
（ｂ）石材素子と支持面との間の隙間が少なくとも部分的に充填されかつ石材素子の部分が流動可能な除去体層の上に突出するようにモールドキャビティに除去体層を付加し；
（ｃ）石材素子および流動可能な除去体層を硬化可能な材料で予め定められた深さに覆い、そのさい硬化可能な材料は直接または接着剤で突出している部分を処理後石材素子の突出している部分に結合し；
（ｄ）下地層を形成するように硬化可能な材料を硬化させ；
（ｅ）モールドからタイルを除去し；そして
（ｆ）タイルから不活性の除去体を除去する工程を含んでいる。
【００１２】
石材素子は、粘土、スレート、石またはあらゆる他の天然または合成の硬い材料から選択され得る。石材素子はより大きな石材素子の断片であっても良く、石材素子は適当な大きさにするように切断させることもできる。
【００１３】
不活性の除去体は溶融不能な粉末または石材素子とモールドとの間のギャップからセット可能な材料を除くことができ、かつ下地層が硬化した後ギャップから除去されることができるあらゆる液体を含むことができる。好ましくは、溶融不能な粉末はタルカムパウダー、粉末にされた石灰または微細な砂のごとき微細粉末である。好ましくは、液体は合成または鉱油、水ゲル、水性重合材料、水性セルロースゲル等のごとき粘性の液体である。
【００１４】
石材素子と硬化可能な材料との間に良好な結合があることが重要である。接着剤が処理するのに使用されるかどうかはともかく、石材素子の突出している部分は硬化可能な材料の性質に依存する。硬化可能な材料がセメント質の混合物（かかる混合物はとうがい技術に熟練した者には良く知られている）を含む場合、接着剤がまず硬化可能な材料で覆う前に石材素子に塗布され得る。接着剤はエポキシ樹脂または１つまたはそれ以上の重合結合剤を含んでいるセメント質の材料のごとき結合剤を包含することができる。
【００１５】
本発明の１つの形状において、エポキシ樹脂は、セメント質の混合物を含んでいる硬化可能な材料を添加する前に、セメント粉末とともに石材素子の突出している部分に塗布されることができる。セメント粉末はセット可能な材料への石材素子の結合を助ける。
【００１６】
本発明の他の形状において、硬化可能な材料は重合結合剤を含んでいるセメント質の混合物を含むことができる。
【００１７】
好ましくは、重合結合剤は石材素子と硬化可能な材料との間の異なる熱膨張係数を調節するように硬化可能な材料にある程度の弾性を与える。
【００１８】
本発明のさらに他の形状において、セメントは硬化可能な材料から完全に除外されかつ好ましくは、不活性の充填剤とともに混合されるエポキシ樹脂または柔軟なセメント質のニカワのごとき結合剤で置き換えることができる。かかる充填剤は従来技術において良く知られている。硬化可能な材料からセメントを除外する利点はタイルがより軽量になるということにある。
【００１９】
適切には、硬化可能な材料は、繊維ガラス、金属、または合成繊維メッシュ、拡大された端部繊維またはそのあらゆる組み合わせのごとき繊維補強を含むことができる。
【００２０】
タイルはモールドの直接の反転によってモールドから取り除かれることができる。しかしながら、モールドからタイルを取り除くあらゆる他の適宜な手段、すなわち、取り外し可能なモールドが使用され得る。
【００２１】
不活性の除去体は、吸い上げによって、ブラシ掛けによってまたは液体またはガスジェットによってタイルを洗浄／噴流吹き付けによってキャビティから取り除かれることができる。好ましくは、不活性の除去体は再使用のために回収される。
【００２２】
不活性の除去体は、上塗りされないタイルが製造されるのを可能にし、かくしてタイルが適切に並べられるとき消費者に構造および上塗りカラーの選択を許容させる。
【００２３】
モールドは三角形、矩形、五角形、六角形等のごときあらゆる適宜な形状からなることができる。
【００２４】
変形例において、モールドはその中に形成されるタイルの組み合いを許容する不規則な形状からなることもできる。
【００２５】
所望ならば、モールドはそれぞれ反対の縁部上に対応するソケット状の凹所を有する１対の隣接する縁部上に１つまたはそれ以上のスピゴット状の突起を含んでいる。
【００２６】
モールドは石材素子が予め定められたパターンにしたがって配置され得るような型紙を含むことができる。
【００２７】
この明細書の他の場所で記載されるような、突起システムは、パターンまたは型紙にしたがって石材素子に印し付け、切断および配置するのを助けるのに使用され得る。
【００２８】
本発明の他の態様によれば、上記方法によって作られるとき上塗りされない複合タイルが提供される。
【００２９】
石材素子は真っ直ぐ切断されるかまたは水洗される粘土、スイッチレート、石またはあらゆる他の天然または合成の硬い材料を含むことができる。好ましくは、タイルは複数の石材素子を有している。石材素子は可変の厚さからなることができる。石材素子は特定のパターンにしたがって位置され得る。
【００３０】
不活性の除去体は溶融不能の粉末を含むことができかつ好ましくは、タルカムパウダー、粉末にされた石灰または微細な砂である。
【００３１】
変形例において、不活性の除去体は油のごとき粘性の液体を含むことができる。
【００３２】
第１の実施の形態において、下地層は硬化されたセメント質の混合物を含むことができかつ接着剤は重合樹脂およびセメント粉末を含むことができる。
【００３３】
第２の実施の形態において、下地層は硬化された重合樹脂を含有している硬化されたセメント質混合物を含むことができる。
【００３４】
第２の実施の形態において、下地層は少なくとも硬化された重合樹脂を含むことができ、かつ好ましくはさらに、適切な充填剤を有する。
【００３５】
好ましくは、タイルは平面で見られるとき実質上長方形または正方形でありかつ約１×２メートル、または１×１メートルの表面積を有している。
【００３６】
本発明のさらに他の実施の形態において、
下地層、および
各石材素子の１部分が下地層に直接的にまたは間接的に結合されている複数の石材素子を含んでいる実質上均一な厚さの上塗りされない複合タイルが提供される。
【００３７】
本発明のさらに他の態様によれば、
（ａ）その周辺のまわりに延びる境界壁を有するモールドキャビティ内の支持面上に１つまたはそれ以上の石材素子を配置し；
（ｂ）石材素子と支持面との間の隙間が少なくとも部分的に充填されかつ石材素子の部分が流動可能な除去体層の上に突出するようにモールドキャビティに除去体層を付加し；
（ｃ）石材素子および流動可能な除去体層を硬化可能な材料で予め定められた深さに覆い、そのさい硬化可能な材料は直接または接着剤で突出している部分を処理後石材素子の突出している部分に結合し；
（ｄ）下地層を形成するように硬化可能な材料を硬化させ；
（ｅ）モールドからタイルを除去し；そして
（ｆ）タイルから不活性の除去体を除去する工程を含んでいる上塗りされない複合タイルを製造する方法が提供される。
【００３８】
内方の除去体は記載されるように本発明の他の態様に関することができる。下地層はポリウレタンまたはエポキシ樹脂のごとき重合材料により接着されることができる。
【００３９】
好ましくは、下地層は硬い合成メッシュを含んでいる。
【００４０】
本発明のさらに他の態様によれば、
実質上同一の厚さの複数の石材素子；
石材素子の各々に接着される下地層；および
石材素子に隣接する取り除き可能な不活性の除去体を含んでいる上塗りされない複合タイルが提供される。
【００４１】
不活性の除去体、接着剤および下地層は記載されるように本発明の第５の態様に関している。
【００４２】
本発明のさらに他の態様によれば、切断するために石材素子を容易に印し付け可能にする投射システムが提供され、この投射システムは、
第１表面領域；
第２表面領域；および
第１表面領域から第２表面領域へパターンの画像を投射するように位置決めされ、そのさい画像が第２表面領域上に置かれた石材素子上に投射される投射カメラのごとき、画像投射手段を含んでいる。
【００４３】
好ましくは、第１および第２の表面領域は水平に延びかつ投射カメラは表面領域の上方に位置決めされる。より好ましくは、表面領域は互いに対して異なる高さにある。
【００４４】
投射カメラは当該技術に熟練した者に知られるあらゆる適宜な投射カメラを含むことができる。
【００４５】
パターンは型紙のパターンであってもよく、かつ型紙はパン内に置かれることができる。投射システムはかくして石材素子を切断するために容易に印し付けを、かつ切断後、型紙によりパン内に置くのを可能にする。この方法において、経験を積んだ石工以外の者が複雑な石材素子の配置を容易に作り出すことができる。
【００４６】
本発明の変形例の態様によれば、切断するために容易に印し付けされかつパターンにしたがって配置される石材素子を可能にする方法が提供され、この方法は、
（ａ）投射カメラのごとき画像投射手段を使用して第１表面領域から第２表面領域へパターンの画像を投射し；
（ｂ）投射された画像の下に石材素子を置き、画像に一致するように印し付けしかつ切断し；そして
（ｃ）パターン上に切断された石材素子を配置する工程を含んでいる。
【００４７】
好ましくは、パターンは型紙のパターンでありかつ型紙はモールド内に置くことができる。この方法において、経験を積んでいない石工が複雑なパターンに応じて石材素子に印し付けし、それを切断しかつ配置することができる。
【００４８】
本発明の他の態様によれば、継ぎ目なしの舗装構造用のタイルが提供され、このタイルは、
下地層またはベースの上に少なくとも部分的に延びている複数の不規則に形成された石材素子を含み、前記タイルは隣接するタイルと整列されて当接する関係にあるとき、隣接する石材素子間に延びる不規則に形成されたキャビティを隣接するタイルとともに形成し、そのさい使用において、隣接する石材素子間のグラウトで固められる（上塗りされる）接合部が視覚的に継ぎ目の無い接合部を形成するように下地層またはベース間の接合部の各側に不規則に延びる。
【００４９】
所望ならば、石材素子の縁部は下地層またはベースの縁部まで延びることができる。
変形例において、下地層またはベースの前記縁部はそれに結合される隣接する石材素子の縁部を越えて延びることができる。
【００５０】
下地層またはベースは同一または異なる形状の隣接するタイルと重ね合わせ得る矩形、規則的な多角形または不規則な形状を含んでいるあらゆる適宜な形状からなることができる。
【００５１】
好ましくは、タイルは反対のまたは隣接する縁部から延びる１つまたはそれ以上のスピゴット状の突起およびそれぞれの反対のまたは隣接する縁部上に対応するソケット状凹所を含んでいる。
【００５２】
下地層またはベースは石材素子がそれに固定される堅固な材料を含むことができる。
【００５３】
変形例において下地層またはベースは石材素子がそれに固定される柔軟な材料を含むことができる。
【００５４】
下地層またはベースは重合結合剤を有するか有さないセメント質の混合物を含むことができる。
【００５５】
相応しくは、下地層またはベースは重合混合物を含んでいる。
【００５６】
好ましくは、下地層またはベースは補強材料を含んでいる。
【００５７】
所望ならば、下地層またはベースは孔の明いたシート状材料を含んでいる。
【００５８】
好ましくは、下地層またはベースはプラスチックメッシュを含んでいる。
【００５９】
補強材料は拡大された端部を有するかまたは有さない細かく切り刻んだ繊維、織られたまたは織られない繊維マットまたは金属またはプラスチックメッシュから選択されることができる。
【００６０】
好ましくは、タイルが形成され、そのさいタイルを含んでいる石材素子の通常露出される表面が実質上共通の平面に横たわっている。
【００６１】
最も好ましくは、タイルは実質上一定の厚さで形成されそのさい隣接するタイルの石材素子の通常露出される表面が実質上共通の平面に横たわっている。
【００６２】
本発明のさらに他の態様によれば、継ぎ目のない舗装構造用のタイルの製造方法が提供され、前記方法は、
石材素子のそれぞれの反対表面に、支持面に対して実質上平行な取り付け面を有する下地層またはベースを固定する工程を含んでいる。
【００６３】
相応しくは、取り付け面は予め定められた厚さのタイルを形成するように支持面から予め定められた距離に位置決めされる。
【００６４】
所望ならば、下地層またはベースは孔の明いたシート状材料を含んでいる。
【００６５】
相応しくは、下地層またはベースは柔軟な材料から構成される。
【００６６】
好ましくは、下地層またはベースはメッシュ状材料を含んでいる。
【００６７】
相応しくは、石材素子は基板または予め定められた形状および／または厚さに固定される。
【００６８】
所望ならば、下地層またはベースは接着剤によって石材素子に固定し得る予め形成された部材を含むことができる。
【００６９】
変形例において下地層またはベースは石材素子に接着で固定される流動可能で鋳造可能な材料を含むことができる。
【００７０】
所望ならば、下地層またはベースは直立の境界壁を有するモールド内に形成されることができる。
【００７１】
タイルは予め定められた境界形状内の実質上平らな支持面上に支持される流動可能で鋳造可能な材料の表面上に複数の不規則に形作られた石材素子を配置しかつ石材素子を支持面に対して実質上平行な平面内に横たわっている実質上平らな圧縮部材によって鋳造可能な材料に押し固めることによって形成することができる。
【００７２】
変形例において、不規則な石材素子は予め定められた境界形状内で実質上平らな支持面上に置かれることができかつその後流動可能で鋳造可能な材料からなる層を支持面に対して実質上平行な取り付け面を有する予め定められた厚さの下地層またはベースを形成するように石材素子上に加える。
【００７３】
相応しくは、石材素子は直立の境界壁内の支持面に配置される。
【００７４】
所望ならば、流動可能な変位材料が隣接する石材素子間に上塗りチャンネルを形成するように隣接する石材素子間の隙間に導入され得る。
【００７５】
本発明は、また、継ぎ目なしの舗装構造用のタイルを取り付けるためのタイル取り付け方法を提供し、前記方法は、
タイルを整列された当接において平らな表面に接着し；そして
隣接する石材素子間のキャビティに上塗り混合物を導入しそれにより隣接するタイル間の接合部の領域の上塗り混合物が実質上視覚的に継ぎ目の無い接合部を形成するように前記接合部の各側にわたって不規則に延びる工程を含んでいる。
【００７６】
所望ならば、タイルは当接しているベース縁部により前記表面上に横たえられることができる。
【００７７】
変形例において、ベース縁部は間隔が置かれかつ異なるサイズの石材素子が実質上視覚的に継ぎ目の無い接合部を形成するように石材素子間の上塗りの表面に挿入される。
【００７８】
舗装タイルに関連してここでは記載されたけれども、理解されるべきことは、表現「舗装タイル」は直立の壁面等を含んでいる他の表面用の装飾用パネルを包含するということである。
【００７９】
用語「ｃｏｍｐｒｉｓｅ（含む）」または「その単数形」または「進行形」のごとき用語の変形は述べられた１つのおよび複数の完全なものの包含を示すようにここでは使用されるが、文脈または使用において用語の排他的な解釈が要求されないならば、あらゆる他の１つのまたは複数の完全なものを除外しない。
【００８０】
本発明の好適な実施の形態は次に以下の図面に関連して説明される。
【発明を実施するための最良の形態】
【００８１】
図１は、図２および図３に示されるタイル２１のごとき、上塗りされてない複合タイルを製造する工程を示すフロー図である。符号２ないし１９は図１においてのみ示されている。
【００８２】
５００ｍｍ×５００ｍｍのベース面積を有する浅いモールドまたはパン１が型オイルのごとき離型剤を噴霧されたコンベヤベルト２上に置かれかつレイアウトステーション３へ搬送される。いったんパン１がレイアウトステーション３に達すると、石材素子（スレートのごとき）２０が任意のパターンを達成するようにパン１内に配置される。
【００８３】
石材素子２０は適当な大きさに切断され得るが、好ましくは石の任意に形作られた断片が任意のパターンを達成するようにパン１に簡単に嵌め込まれる。石材素子２０は互いから僅かに間隔が置かれ、そして各石材素子２０の好適な面はパン１内で表を下にして置かれる。
【００８４】
いったん石材素子２０がパン１内に配置されると、パン１は、不活性の除去体２４、代表的にはタルカムパウダーまたは微細な砂を隣接する石材素子２０とパン１との間の隙間が或る範囲まで除去体２４（図２参照）で充填されるようにパン１に添加する塗布器８に搬送される。除去体２４は、図２および図３から明らかなように、タイルの敷設の前に除去されかつ上塗りされないタイルを作る。
【００８５】
塗布器８は、また、各石材素子２０の露出される表面（図２参照）に、接着剤の被覆２２、代表的には結合剤を加えたエポキシ樹脂またはセメント粉末を塗布する。接着剤層２２は下地層２３を形成する連続して添加される硬化可能な材料に各石材素子２０を結合するのを助ける。
【００８６】
石材素子２０および除去体２４は次いで硬化可能なセメント質材料（図２参照）を含んでいる下地層２３で被覆される。下地層２３は除去体２４で充填された空間から除外される。下地層２３はセメント（セメントホッパ６からの）、ポリスチレンビーズ、塩化カルシウム、水ならびに他の良く知られた成分（符号４において）の混合物（前記ホッパ５からの）を含有するボウルミキサ７から分配（符号９において）される。
【００８７】
下地層２３はかなり軽量であり、それは石材素子２０をともに保持し、かつタイルが精密なかつ均一な厚さに作られるのを可能にする。
【００８８】
タイルが硬化されたときそれらはそれぞれのパンから取り除かれかつ空のパン１８は他のタイルの製造に再使用される。
【００８９】
除去体２４は、図３に示されるように並べられるとき上塗り（グラウト）２５の構造およびカラーの選択を消費者に許容する上塗りされないタイル１９，２１を製造する。そのうえ、複合タイル２１を敷設することは個々の石材素子を敷設するよりそれほど難しくない。
【００９０】
図４は石材素子が切断のために容易に印し付けされかつ予め定められた複雑なパターン３５にしたがって配置されるのを可能にするような投射システム３０の詳細を示している。
【００９１】
投射システム３０は第１の表面領域３１、この第１の表面領域３１に対して異なる高さで第２の表面領域３２、および表面領域３１，３２の上方に位置決めされる投射カメラ３３を有している。表面領域３１，３２は脚部３４によって地面の上方に支持される。投射カメラ３３は第２の表面領域３２に対して第１の表面領域３１上に配置されたパターン３５の画像３６を投射するように位置決めされる。
【００９２】
パターンは芸術的な作業、型紙、または同様な他の複合タイルにすることができ、そのパターンは再生されることができる。パターンは石材素子の容易な配置のためにパン内に置かれることができる。
【００９３】
画像３６は第２の表面領域３２上に置かれた石材素子（図示せず）上に投射される。石材要素は次いで印し付けされかつ切断される。切断後、石材素子はジグゾーパズルを嵌め込むのと同様に、パターン３５に嵌め込まれる。この方法において、石材素子は容易に印し付けされ、切断されかつ経験を積んだ石工以外の者によって配置されることができる。
【００９４】
図５ないし図７は視覚的に継ぎ目の無い接合部が隣接するタイル間に得られる方法を示している。
【００９５】
図５は本発明によって作られたタイル４０の平面図を示している。タイルは、タイルの反対の縁部上のスピゴット状突起４１，４２および隣接する反対の縁部上の対応するソケット状の凹所４３，４４によって示される非直線の縁部を有する示されるような上塗りされないタイルを得るように不規則に形作られたモールド４０ａ内に置かれる。
【００９６】
タイルが互いに接触して隣接するタイルのタイルベース４５の縁部４５ａと置かれているとき、それぞれのスプロケット状凹所４３，４４はスピゴット状突起４１，４２を重ね合わせて収容する。
【００９７】
実際に隣接するタイル間の接合部で目視し得る鋭い直線がなくかつ上塗りの幅が隣接する石材素子間の可変の上塗り幅と同様な方法において変化するため、接合部は図６に示されるように、効果的に、視覚的に目視できなくなる。
【００９８】
図７に示されるように、得られた不規則な形状および任意のパターンのため石材素子４６がモールド内に置かれるとき、隣接する石材素子４６の上方縁部４７によって示されるタイルの上方縁部は非常に不規則でありかつ滑らかに形成されたベース縁部から、タイルが現場で上塗りされるとき上塗り５０が可変幅を有する任意の方法において隣接するタイルベース４５間の接合部４８の上にあるような不規則な方法に置かれる。
【００９９】
本発明により形成された長方形または正方形のタイルは隣接するタイル間に非直線の上塗り隙間を生じるけれども、タイルの形状は大きなタイル張りされた区域に現れている部分的に目視可能な格子状パターンを回避するように正方形または長方形以外であることが好ましい。図５に示したタイルの非直線縁部は図６に示されるような大きな舗装区域における格子状パターン上の接合部の出現を回避するのに非常に有効である。
【０１００】
タイルは、隣接するタイル間に非直線接合を設けるように第２対の対向側部または端部において１つまたはそれ以上の補完のソケット状凹所により補完する１対の対向端部または側部において１またはそれ以上のスピゴット状突起を形成することができる。変形例において、スピゴット状突起は１対の隣接する端部または側部上に、かつソケット状凹所は隣接する端部または側部の他の対上にあってもよい。
【０１０１】
図８は本発明によるタイルの代替の製造方法を示している。
【０１０２】
プラスチック補強メッシュ６０からなる層が成形トレイ６１上に置かれかつセメント質の材料６２からなる層がトレイ内に置かれる。可変厚さのまたは同一厚さの複数の石材断片６３がまだ硬化されてない材料６２の表面にレイアウトされかつその後平らなプラテン６４が半流体材料６２に押し込まれる石材断片６３と接触して押圧される。プラテン６４がトレイ６１の境界壁６５と接触するとき略平らな上面により一定の厚さのタイルが形成される。
【０１０３】
図９は図８により作られたタイルの取り付けを示しており、そのさい所望ならば、さらに他の小さい石材断片６６が隣接するタイル間に視覚的に継ぎ目の無い接合部を得るように接合部６８の上にあるまだ硬化されてない上塗り６７に押し込められることができる。
【０１０４】
図１０は代替の取り付け方法を示し、そのさい本発明によって作られた正方形または長方形のタイル７０が、約５０ｍｍまたはそれ以上のギャップ７１が隣接するタイル間に残される場合に有効に使用されることができる。タイル７０が現場で上塗りされるとき、隣接するタイル間の領域７２は均一な厚さを得るようなガイドとしてタイルの隣接する石材素子７４を使用して湿った上塗り７５の表面に押し込まれる不規則に形作られた石材素子７３を有することができる。
【０１０５】
タイルに間隔を置く代替として、タイルは図１１に示されるようなタイルベースの縁部から約２５ｍｍに置かれる石材素子で形成することができる。これは、タイルが上塗りされた後不規則に形作られた石材素子を収容するようにタイル接合部にわたって広い上塗りチャンネルをまだ設けながら、タイルが正確に当接されるのを可能にする。この実施の形態において、舗装タイル８０は平らな支持面８２上に所望の形状のプラスチックメッシュ補強パッド８１を置くことによって形成される。流動可能で硬化可能なセメント質の材料８３が露出される縁部領域８４を残してパッド８１の主要部分にわたってほとんど均一に広げられる。その後石材断片８５がセメント質の材料８１からなる層の表面上に置かれかつ平らなプラテン８６上に予め定められた深さに対して均一の厚さを形成するように石材部片８５と接触して押圧されかつそのさい石材部片８５の露出される上面は支持面８８に対して実質上平行な平面にある。
【０１０６】
前述された実施の形態に対する適切な変形によれば、上塗りされたタイルを製造することができる。
【０１０７】
不活性の除去体は、好ましくは隣接する石材要素の十分な深さに対して、上塗り層がその上に置かれる公知の型の化学的上塗り遅延剤からなる層によって置き換えられる。プラスチックまたは金属メッシュは接着剤によって露出された石表面に固定される。
【０１０８】
遅延剤は２４ないし３６時間まで上塗りの通常最上の層の硬化量を著しく遅くする。複合タイルがモールドから除去されるとき、硬化されてない／部分的に硬化された頂部の上塗り層は、隣接する石材要素間の隙間に残っている上塗り（例えば、石材素子の厚さの５０ないし８０％の深さに）を取り去るような、例えば、加圧水によって、除去される。
さらに他の変形例の実施形態において、石材素子は上塗り（グラウト）内に押し込められることができる。例えば、遅延剤からなる層はモールドの底部上に置かれかつ上塗りの層は遅延剤の上に重ね合わされる。石材素子はそれらがモールドのベースに接触するまで上塗りに置かれかつそれに押し込められることができそれによって上塗りは隣接する石材素子間の隙間に「押し出される」。
【０１０９】
補強メッシュを有するかまたは有さない硬化可能な材料が塗布されかつ下地層を形成するように硬化する。複合タイルがモールドから除去されるとき、まだ硬化されない／部分的に硬化された上塗りは石材素子の頂部面（および石材要素間の上塗り）を露出するように除去される。
【０１１０】
熟練した受け手に容易に明らかであるのは、多くの変形および変化がその精神および範囲から逸脱することなく本発明になされ得るということである。
【０１１１】
例えば、タイルは形状において三角形、多角形または同様に円形であってもよくそしてさらにまた隣接するタイル間に視覚的に継ぎ目の無い接合部を達成する。
【０１１２】
図１２に略示されるように、上記方法のいずれかにより作られた円形のタイル９０は風化に抗するポリウレタンまたは他の耐久力のある重合接着財を使用して表面上に固定される。隣接する石材断片９２間の隙間９１を上塗りした（グラウトを詰めた）後、不規則に形作られた石材部片９３は隣接するタイル間の領域において死滅例えば上塗りに押し込められそれによって視覚的に継ぎ目の無い仕上げが得られる。
【０１１３】
壁、支柱等のごとき直立面用の装飾的パネルが、また、本発明により可能である。上記方法のいずれかにより作られたタイルは耐久力のある重合接着剤に関連して公知の型の石工用固定具により直立面に固定されることができかつその後隙間は視覚的に継ぎ目の無い仕上げを形成するように上塗りされることができる。
【図面の簡単な説明】
【０１１４】
【図１】本発明の実施の形態による、上塗りされない複合タイルを製造する工程を示すフロー図である。
【図２】図１の方法によって作られた上塗りされない複合タイルの横方向断面図である。
【図３】横たえられるときの図２のタイルの横方向断面図である。
【図４】本発明の他の実施の形態による投射システムを示す斜視図である。
【図５】継ぎ目なし舗装構造用のタイルを示す図である。
【図６】図５のタイルにより形成された継ぎ目なし舗装構造を示す部分図である。
【図７】隣接するタイル間の上塗りされた接合部を示す部分断面図である。
【図８】本発明による舗装タイルを製造する代替の方法を示す概略図である。
【図９】上塗りされたタイル取り付けを示す部分断面図である。
【図１０】図９のタイルの代替の取り付け方法を示す図である。
【図１１】本発明による舗装タイルのさらに他の製造方法を示す図である。
【図１２】本発明による円形の舗装タイルの取り付けを示す図である。
【符号の説明】
【０１１５】
１      パン
２      コンベヤベルト
３      レイアウトステーション
２０    石材素子
２１    タイル
２２    接着剤層
２３    下地層
２４    除去体
３０    投射システム
３３    投射カメラ
【図１】
2006502325.tif 000003
【図２】
2006502325.tif 000004
【図３】
2006502325.tif 000005
【図４】
2006502325.tif 000006
【図５】
2006502325.tif 000007
【図６】
2006502325.tif 000008
【図７】
2006502325.tif 000009
【図８】
2006502325.tif 000010
【図９】
2006502325.tif 000011
【図１０】
2006502325.tif 000012
【図１１】
2006502325.tif 000013
【図１２】
2006502325.tif 000014
【国際調査報告】
2006502325.tif 000015
2006502325.tif 000016